(57)【特許請求の範囲】
【請求項１】
それぞれがバルブボデーを有して該バルブボデーの内部に弁機能部を内蔵した、温調用のバルブユニットを含む複数のバルブユニットを接続管で接続するとともに、各バルブユニットをブラケットに固定して各バルブユニットを連結状態に保持して水栓本体を構成する一方、
壁に固定される給水，給湯用の配管を兼ねた水側，湯側の各脚部に、該脚部と前記水栓本体の給水口とを接続する給水接続部を設け、該給水接続部には前記ブラケットを固定するブラケット固定部が備えてあり、
該給水接続部が前記温調用のバルブユニットの給水口に接続され、該温調用のバルブユニットを介して他のバルブユニットが前記脚部に連絡されていることを特徴とする壁付き混合水栓。
【請求項２】
請求項１において、前記ブラケットとして別体を成す複数のブラケットが設けてあることを特徴とする壁付き混合水栓。
【請求項３】
請求項２において、前記ブラケットとして上ブラケットと下ブラケットとが設けてあり、前記給水接続部の前記ブラケット固定部には上ブラケット固定部と、下ブラケット固定部とが備えてあって、該上ブラケット固定部に該上ブラケットが、下ブラケット固定部に該下ブラケットがそれぞれ固定してあることを特徴とする壁付き混合水栓。
【請求項４】
請求項１〜３の何れかにおいて、前記各バルブユニットと前記接続管及び前記ブラケットを外側から覆うカバーが備えてあることを特徴とする壁付き混合水栓。
【請求項５】
請求項１〜４の何れかにおいて、前記バルブユニットとして、カラン側の吐水と止水及び流量調節を行うカラン側のバルブユニットと、シャワーヘッドからの吐水と止水及び流量調節を行うシャワー側のバルブユニットとを備えていることを特徴とする壁付き混合水栓。
【発明の詳細な説明】
【技術分野】
【０００１】
この発明は壁付き混合水栓に関し、詳しくは温調用のバルブユニットを含む、互いに独立した複数のバルブユニットを有し、それらを接続管で接続した形態の壁付き混合水栓に関する。
【背景技術】
【０００２】
従来、壁付きの混合水栓としては、筒状の金属製且つ鋳物製の本体ボデーを共通のバルブボデーとして、その内部に温度調節を行う温調弁や、流路をカラン側からシャワー側に又はその逆に切り替えたり吐止水及び流量調節を行う切替弁を組み込んで水栓本体を構成し、そしてその水栓本体を給水，給湯用の配管を兼ねた水側，湯側の脚部（クランク脚）にて壁に固定するようになしたものが一般的である。
しかしながらこの壁付き混合水栓は、鋳物製の本体ボデーの構造が複雑で製造コストが高いといった問題を有する。
【０００３】
そこで、それぞれがバルブボデーを有してその内部に弁機能部を内蔵した、温調用のバルブユニットを含む複数の独立したバルブユニットを接続管で接続することで水栓本体を構成しておくといったことが考えられる。
【０００４】
このように温調用のバルブユニットを含む複数のバルブユニットを接続管で接続して水栓の要部を構成したものは、従来から提案されている公知のものである。
例えば下記特許文献１，特許文献２にこの種の水栓が開示されている。
【０００５】
但しこれら特許文献１，特許文献２に開示のものは、何れも各バルブユニット及び接続管がカウンタ下に埋込状態に設置される埋込式の水栓であって、各バルブユニットはカウンタに固定されて支持されており、従ってこのようなカウンタ等による支持が得られない壁付き水栓としてこれをそのまま適用することはできない。
【先行技術文献】
【特許文献】
【０００６】
【特許文献１】特開２０００−１１０２０９号公報
【特許文献２】特開２００４−７６４８９号公報
【発明の概要】
【発明が解決しようとする課題】
【０００７】
本発明は以上のような事情を背景とし、温調用のバルブユニットを含む複数のバルブユニットを接続管で接続して水栓本体となした壁付き混合水栓を提供することを目的としてなされたものである。
【課題を解決するための手段】
【０００８】
而して請求項１のものは、それぞれがバルブボデーを有して該バルブボデーの内部に弁機能部を内蔵した、温調用のバルブユニットを含む複数のバルブユニットを接続管で接続するとともに、各バルブユニットをブラケットに固定して各バルブユニットを連結状態に保持して水栓本体を構成する一方、壁に固定される給水，給湯用の配管を兼ねた水側，湯側の各脚部に、該脚部と前記水栓本体の給水口とを接続する給水接続部を設け、該給水接続部には前記ブラケットを固定するブラケット固定部が備えてあり、該給水接続部が前記温調用のバルブユニットの給水口に接続され、該温調用のバルブユニットを介して他のバルブユニットが前記脚部に連絡されていることを特徴とする。
【０００９】
請求項２のものは、請求項１において、前記ブラケットとして別体を成す複数のブラケットが設けてあることを特徴とする。
【００１０】
請求項３のものは、請求項２において、前記ブラケットとして上ブラケットと下ブラケットとが設けてあり、前記給水接続部の前記ブラケット固定部には上ブラケット固定部と、下ブラケット固定部とが備えてあって、該上ブラケット固定部に該上ブラケットが、下ブラケット固定部に該下ブラケットがそれぞれ固定してあることを特徴とする。
【００１１】
請求項４のものは、請求項１〜３の何れかにおいて、前記各バルブユニットと前記接続管及び前記ブラケットを外側から覆うカバーが備えてあることを特徴とする。
【００１２】
請求項５のものは、請求項１〜４の何れかにおいて、前記バルブユニットとして、カラン側の吐水と止水及び流量調節を行うカラン側のバルブユニットと、シャワーヘッドからの吐水と止水及び流量調節を行うシャワー側のバルブユニットとを備えていることを特徴とする。
【発明の作用・効果】
【００１３】
以上のように本発明は、温調用のバルブユニットを含む複数のバルブユニットを接続管で接続するとともに、各バルブユニットをブラケットに固定して各バルブユニットをブラケットにより連結状態に保持して水栓本体を構成する一方、壁に固定される配管を兼ねた水側，湯側の各脚部に、脚部と水栓本体の給水口とを接続する給水接続部を固定状態に設けて、給水接続部に備えたブラケット固定部に上記のブラケットを固定し、以て壁付きの混合水栓を構成するようになしたものである。
【００１４】
本発明では、互いに別個独立した温調用のバルブユニットを含む複数のバルブユニットが、接続管による接続状態でブラケットとともに一体の結合体（水栓本体）をなし、互いに独立した複数のバルブユニットがブラケットにより所定の相対的位置関係をもって強固に保持される。
【００１５】
そして上記の一体の結合体即ち水栓本体が、給水接続部へのブラケットの固定により脚部に固定状態となって、水栓本体が脚部により荷重支持される。即ち水栓本体が脚部を介し壁にて荷重支持される。
【００１６】
本発明では、バルブボデーの内部に弁機能部を内蔵した、互いに独立した複数のバルブユニットを接続管で接続して水栓本体を構成しているため、壁付き混合水栓においてバルブユニット間の間隔や向き等を変更することが可能であり、また埋込水栓その他の水栓において用いられているバルブユニットを壁付き混合水栓のバルブユニットとして用いることができる。即ちバルブユニットをそれら水栓の間で共通に用いることが可能である。
更にバルブユニット間の間隔や向きの選択の自由度が高いことに起因して、各バルブユニットに対応した操作部の向きや配置の自由度も高い。
【００１７】
また本発明では、給水接続部を温調用のバルブユニットの給水口に接続し、温調用のバルブユニットを介して他のバルブユニットを給水，給湯用の配管を兼ねた脚部に連絡しておく。
このようにすれば、温調用のバルブユニットにて温調（温度調節）された混合水を他のバルブユニットに供給することができる。加えて、水栓本体をコンパクトにすることができる。
【００１８】
本発明では、上記ブラケットとして別体を成す複数のブラケットを設けておくことができる（請求項２）。
この場合において、かかるブラケットとして上ブラケットと下ブラケットとを設ける一方、上記の給水接続部のブラケット固定部には上ブラケット固定部と下ブラケット固定部とを備えておき、上ブラケット固定部に上ブラケットを、下ブラケット固定部に下ブラケットをそれぞれ固定するようになしておくことができる（請求項３）。
このようにすれば、各バルブユニットを上ブラケットと下ブラケットとでより強固に連結状態とすることができる。
【００１９】
本発明では、上記の各バルブユニットを接続管及びブラケットとともに外側から覆うカバーを備えておくことができる（請求項４）。
このようにすれば、バルブユニット，接続管，ブラケット等を内部に隠蔽状態として壁付き混合水栓の外観を良好となすことができる。
【００２０】
本発明では、バルブユニットとしてカラン側の吐水と止水及び流量調節を行うカラン側のバルブユニットと、シャワーヘッドからの吐水と止水及び流量調節を行うシャワー側のバルブユニットとを備えておくことができる（請求項５）。
【図面の簡単な説明】
【００２１】
【図１】本発明の一実施形態の壁付き混合水栓の斜視図である。
【図２】図１の壁付き混合水栓をカバーを略した状態で示した斜視図である。
【図３】図２の壁付き混合水栓の要部切欠正面図である。
【図４】図２の壁付き混合水栓の要部切欠側面図である。
【図５】図２の壁付き混合水栓の背面及び底面を示した斜視図である。
【図６】同実施形態の壁付き混合水栓の一部を接続前の状態で底面側から示した図である。
【図７】同実施形態の壁付き混合水栓の一部を分解して示した斜視図である。
【発明を実施するための形態】
【００２２】
次に本発明の実施形態を図面に基づいて詳しく説明する。
図１において、１０は本実施形態の壁付き混合水栓で、図２〜図４に示しているように互いに独立した３つのバルブユニット、詳しくはカラン側のバルブユニット１２と、シャワー側のバルブユニット１４と、温調用のバルブユニット１６（図４参照）とを有している。
これらカラン側のバルブユニット１２，シャワー側のバルブユニット１４及び温調用のバルブユニット１６は、それぞれがバルブボデー１８，２０，２２を有している。
【００２３】
ここでカラン側のバルブユニット１２は、カラン側からの吐水と止水及び流量調節を行うもので、そのための弁機能部がバルブボデー１８の内部に組み込まれている。
シャワー側のバルブユニット１４は、シャワーヘッドからの吐水と止水及び流量調節を行うもので、そのための弁機能部がバルブボデー２０の内部に組み込まれている。
一方温調用のバルブユニット１６は、水と湯とを混合して混合水をカラン側のバルブユニット１２，シャワー側のバルブユニット１４に供給するもので、温調（温度調節）のための弁機能部がバルブボデー２２の内部に組み込まれている。
尚この実施形態において、バルブボデー１８，２０は樹脂製とされ、またバルブボデー２２は金属製とされている。
【００２４】
本実施形態において、カラン側のバルブユニット１２には、バルブボデー１８の上側において、図２にも示しているように回転式の流調操作部２４、及び吐水と止水とを行うプッシュ式の吐止水操作部２６が設けられている。
またシャワー側のバルブユニット１４にも、バルブボデー２０の上側において回転式の流調操作部２８、及び吐水と止水とを行うプッシュ式の吐止水操作部３０が設けられている。
更に温調用のバルブユニット１６には、水と湯との混合比率を調整するための回転式の温調操作部３２が設けられている。
【００２５】
この実施形態では、吐止水操作部２６を下向きに押込操作するごとにカラン側からの吐水と止水とが交互に行われ、また流調操作部２４を回転操作するとカラン側からの吐水の流量が調節される。
同様に吐止水操作部３０を下向きに押込操作するごとにシャワーヘッドからの吐水と止水とが行われ、また流調操作部２８を回転操作するとシャワーヘッドからの吐水の流量が調節される。
また温調操作部３２を回転操作すると湯と水との混合比率が変化し、混合水の温度が調節される。
【００２６】
本実施形態において、カラン側のバルブユニット１２に設けられた流調操作部２４と吐止水操作部２６，シャワー側のバルブユニット１４に設けられた流調操作部２８と吐水水操作部３０，及び温調用のバルブユニット１６側に設けられた温調操作部３２は、後述のカバー１４２（図１，図４参照）の上側に露出せしめられている。
【００２７】
カラン側のバルブユニット１２におけるバルブボデー１８は、図３に示すように上下方向の中間部に円形の大径部３４を備えており、更にこの大径部３４よりも小径でこれより上向きに立ち上る円形の上嵌合部３６を備えている。
更に大径部３４の下側において、上嵌合部３６よりも小径の下嵌合部３８、及びこれに続いて下向きに突出する接続部４０を備えている。
この接続部４０には、カラン側配管４１が抜止クリップ８０にて抜止状態に接続され、接続部４０から流出した混合水がカラン側の吐水口４３から吐水される。
ここで大径部３４と上嵌合部３６との外面には縦横に補強リブが設けられている。
【００２８】
シャワー側のバルブユニット１４におけるバルブボデー２０もまた、上下方向の中間部に円形の大径部４２を備え、この大径部４２よりも小径でこれより上向きに立ち上る円形の上嵌合部４４を備えている。
更に大径部４２の下側において、上嵌合部４４よりも小径をなす下嵌合部４６、及びこれに続いて下向きに突出する接続部４８を備えている。
この接続部４８にはシャワー側配管４５が抜止クリップ８０にて抜止状態に接続され、接続部４８から流出した混合水がシャワーホース４７を経てシャワーヘッドに送られ、そこから吐水される。
このシャワー側のバルブユニット１４のバルブボデー２０においても、大径部４２と上嵌合部４４との外面に補強リブが縦横に設けられている。
一方、図４及び図５に示しているように温調用のバルブユニット１６におけるバルブボデー２２には、円形をなす嵌合部５６が備えられている。
【００２９】
この実施形態において、互いに別個独立をなすカラン側バルブユニット１２，シャワー側バルブユニット１４及び温調用のバルブユニット１６には、接続管５０の各端部が接続され、カラン側のバルブユニット１２，シャワー側のバルブユニット１４及び温調用のバルブユニット１６が接続管５０を介して互いに連絡されている。
【００３０】
接続管５０は、図６（図６は各バルブユニットを底面側から見た図であり、各部材の配置が図１〜図３とは逆位置となっている）に示しているように３つの分岐管５０-１，５０-２，５０-３に分かれていて、その全体の平面形状がＴ字形状をなしている。
これに対応してカラン側のバルブユニット１２におけるバルブボデー１８には、図３に示しているように分岐管５０-１に向き合う側に接続部５４が設けられ、またシャワー側のバルブユニット１４におけるバルブボデー２０には、分岐管５０-２に向き合う側に接続部５４が設けられている。
【００３１】
更に温調用のバルブユニット１６におけるバルブボデー２２には、図６に示しているように分岐管５０-３に向き合う側に接続部５４が設けられている。
そしてバルブボデー１８の接続部５４と接続管５０における分岐管５０-１が、図３に示しているように嵌入部５２を接続部５４に嵌入させる状態に接続されている。
またバルブボデー２０の接続部５４と分岐管５０-２とが、嵌入部５２を接続部５４の内部に嵌入させる状態に接続されている。
【００３２】
更に温調用のバルブユニット１６におけるバルブボデー２２の接続部５４と分岐管５０-３とが、嵌入部５２を接続部５４の内部に嵌入させる状態に接続されている。
尚、３つの嵌入部５２にはＯリングが保持されており、このＯリングを介して３つの各接続部５４と分岐管５０-１，５０-２，５０-３との間が水密にシールされている。
【００３３】
図６（及び図２）において、５８は給水用の配管を兼ねた金属製の水側のクランク脚（脚部）で、６０は給湯用の配管を兼ねた金属製の湯側のクランク脚（脚部）である。
これらクランク脚５８，６０は図６中の上端部において壁に固定される。
【００３４】
これら水側のクランク脚５８，湯側のクランク脚６０のそれぞれの先端部（図６中下端部）には、クランク脚５８とは別体に構成された金属製の水側の給水接続部６２，金属製の湯側の給水接続部６４が設けられている。
水側の給水接続部６２は、短管状の主部６６と、主部６６から図６中右向きに９０°屈曲して突出した、同じく管状をなす接続部６８とを有している。
ここで接続部６８は温調用のバルブユニット１６側に、壁と平行方向に突出している。
【００３５】
主部６６の、クランク脚５８側の端部（図６中上端部）には雄ねじ部７０が設けられており、水側の給水接続部６２は、この雄ねじ部７０とクランク脚５８側の袋ナット７２との螺合により、クランク脚５８にねじ結合されている。
【００３６】
一方温調用のバルブユニット１６のバルブボデー２２には、壁と平行方向に互いに逆向きに突出する水側の給水口７４と、湯側の給水口７６とが備えられている。
水側の給水接続部６２は、水側のクランク脚５８と後述する水栓本体１４０（図２参照）の水側の給水口、具体的にはここでは温調用のバルブユニット１６の水側の給水口７４とを接続するもので、嵌入部７８を備えている。
給水接続部６２は、この嵌入部７８を温調用のバルブユニット１６の給水口７４に嵌入させる状態に、温調用のバルブユニット１６の給水口７４に接続されている。
ここで接続部６８と給水口７４とは、金属製の弾性を有する抜止クリップ８０にて抜止めされている。
【００３７】
湯側の給水接続部６４は、水側の給水接続部６２と同一形状のもので、主部６６と嵌入部７８を備えた接続部６８とを有しており、接続部６８を水側の給水接続部６２のそれとは逆向き、即ち温調用のバルブユニット１６側に向けて配置され、雄ねじ部７０とクランク脚６０側の袋ナット７２との螺合によりクランク脚６０にねじ結合されている。
【００３８】
この湯側の給水接続部６４は、嵌入部７８を温調用のバルブユニット１６の湯側の給水口７６内に嵌入させる状態に、接続部６８が温調用のバルブユニット１６に接続されている。
そしてその接続状態で抜止クリップ８０により接続部６８と給水口７６とが抜止めされている。
【００３９】
上記水側の給水接続部６２及び湯側の給水接続部６４には、それぞれ図７に示しているように上下に突出するブラケット固定部８２が一体に構成されている。
ここでブラケット固定部８２は、上向きに突出する上ブラケット固定部８４と下向きに突出する下ブラケット固定部８６とを備えており、それぞれに固定孔８８，８９が設けられている。
【００４０】
図７において、９２，９４はそれぞれカラン側のバルブユニット１２，シャワー側のバルブユニット１４，温調用のバルブユニット１６を接続管５０とともに連結状態で壁側に、具体的には一対のクランク脚５８，６０に固定する固定部材としての上ブラケット，下ブラケットで、それぞれ金属製の板状の部材から成っている。
【００４１】
上ブラケット９２は、略水平な頂部９６と、頂部９６から前方に下向きに傾斜して延びる傾斜部９８とを有しており、その傾斜部９８に、カラン側のバルブユニット１２用の円形の嵌合穴１００と、シャワー側のバルブユニット１４用の円形の嵌合穴１０２とが設けられている。
【００４２】
上ブラケット９２はまた、頂部９６の後端から下向きに垂下する左右一対の垂下部１０４と、それら垂下部１０４の間において後方に延出する舌片状の延出部１０６とを有している。
一対の垂下部１０４のそれぞれには、雌ねじ孔から成る固定孔１０８が設けられ、また延出部１０６には、温調用のバルブユニット１６用の円形の嵌合穴１１０が設けられている。
【００４３】
下ブラケット９４は、上ブラケット９２の傾斜部９８と平行ないし略平行に前方斜め下向きに傾斜する傾斜部１１２と、傾斜部１１２の前端から上向きに立ち上る立上り部１１４とを有している。
更に傾斜部１１２の後端から１段下がった位置で後方に突出する一対の突出部１１６と、それら突出部１１６の更に後端から垂下する一対の垂下部１１８とを有している。
【００４４】
傾斜部１１２には、カラン側のバルブユニット１２用の円形の嵌合穴１２０と、シャワー側のバルブユニット１４用の円形の嵌合穴１２２が設けられ、更に嵌合穴１２０の近傍に、カラン側のバルブユニット１２用の固定孔１２４が設けられ、また嵌合穴１２２の近傍に、シャワー側のバルブユニット１４用の固定孔１２６が設けられている。
【００４５】
一方一対の突出部１１６には、温調用のバルブユニット１６用の固定孔１２７が設けられ、更に一対の垂下部１１８には、上記の給水接続部６２，６４のブラケット固定部８２との固定のための雌ねじ孔から成る固定孔１２８が設けられている。
尚下ブラケット９４には、その後端から嵌合穴１２０と１２２との間の部位にまで到る切欠部１３０が設けられている。
【００４６】
上ブラケット９２は、カラン側のバルブユニット１２における上嵌合部３６を嵌合穴１００に嵌合させ、シャワー側のバルブユニット１４における上嵌合部４４を嵌合穴１０２に嵌合させ、また温調用のバルブユニット１６の嵌合部５６を、延出部１０６の嵌合穴１１０に嵌合させる状態に、それら３つのバルブユニット１２，１４，１６を連結している。
また下ブラケット９４は、カラン側のバルブユニット１２の下嵌合部３８を嵌合穴１２０に嵌合させ、またシャワー側バルブユニット１４の下嵌合部４６を嵌合穴１２２に嵌合させる状態にそれらを連結している。
【００４７】
そしてこの下ブラケット９４の固定孔１２４において、カラン側のバルブユニット１２が、また固定孔１２６においてシャワー側のバルブユニット１４が、それぞれ図４に示すボルト１３２とナット１３４とで下ブラケット９４に締結固定されている。
【００４８】
また突出部１１６の固定孔１２７において、温調用のバルブユニット１６がボルト１３６（図４参照）にて締結固定されている。
尚温調用のバルブユニット１６の金属製のバルブボデー２２には、図６に示しているように固定孔１２７に対応した位置に、雌ねじ孔から成る固定孔１３８が設けられている。温調用のバルブユニット１６は、この固定孔１３８においてボルト１３６にて下ブラケット９４に締結固定されている。
【００４９】
そして本実施形態ではこの下ブラケット９４が、一対の垂下部１１８の雌ねじ孔から成る固定孔１２８と、上記の下ブラケット固定部８６の固定孔８９とにおいて、図４及び図５に示すボルト１３６にて下ブラケット固定部８６に、即ち給水接続部６２，６４に締結固定されている。
【００５０】
一方上ブラケット９２は、一対の垂下部１０４の雌ねじ孔から成る固定孔１０８と、上記の上ブラケット固定部８４の固定孔８８とにおいて、ボルト１３６にて上ブラケット固定部８４に、即ち給水接続部６２，６４に締結固定されている。
【００５１】
そしてこれにより、上ブラケット９２及び下ブラケット９４にてカラン側のバルブユニット１２，シャワー側のバルブユニット１４，温調用のバルブユニット１６を連結状態に保持して構成した図２の水栓本体１４０が、給水接続部６２，６４を介して一対のクランク脚５８，６０に固定されている。
【００５２】
尚上ブラケット９２，下ブラケット９４による連結状態において、図４に示しているように温調用のバルブユニット１６は垂直向きをなしているが、カラン側のバルブユニット１２とシャワー側のバルブユニット１４とは、その軸方向の向きが上下方向に対して前方側に傾斜しており、従ってカラン側の吐止水操作部２６と流調操作部２４及びシャワー側の吐止水操作部３０と流調操作部２８は、その上面が水平方向に対して前方斜め下向きに傾斜している。
【００５３】
この実施形態では、水側のクランク脚５８，湯側のクランク６０を通じて供給されて来た水と湯とが、温調用のバルブユニット１６の一対の給水口７４，７６から温調用のバルブユニット１６内に流入し、そこで水と湯とが所定比率で混合される。
そしてその混合水が接続管５０を通じてカラン側のバルブユニット１２又はシャワー側のバルブユニット１４に流入し、そして図２の吐止水操作部２６又は３０による吐止水操作によって、カラン側から或いはシャワーヘッドから吐水され或いは吐水停止される。
また回転式の流調ハンドル２４，２８の操作によって吐水の流量調節が行われる。
尚この実施形態では、場合によってカラン側とシャワーヘッド側の両方とから同時に吐水を行うといったことも可能である。
【００５４】
図１に示しているように、本実施形態の壁付き混合水栓１０はカバー１４２を備えており、このカバー１４２にて上記のカラン側のバルブユニット１２，シャワー側のバルブユニット１４，温調用のバルブユニット１６，接続管５０，ブラケット９０等が内側に隠蔽されている。
【００５５】
以上のような本実施形態では、互いに別個独立したバルブユニット１２，１４，１６が、接続管５０による接続状態で上ブラケット９２，下ブラケット９４とともに一体の水栓本体１４０を構成し、そしてその水栓本体１４０が、給水接続部６２，６４への上ブラケット９２，下ブラケット９４の固定によりクランク脚５８，６０に固定状態となって、水栓本体１４０がクランク脚５８，６０により荷重支持される。即ち水栓本体１４０が壁にて荷重支持される。
【００５６】
本実施形態では、互いに独立したバルブユニット１２，１４，１６を接続管５０で接続して水栓本体１４０を構成しており、接続管５０を変えることでバルブユニット１２，１４，１６間の間隔或いはそれらの向き等を変更することが可能であり、また埋込水栓その他の水栓において用いられているバルブユニットを壁付き混合水栓１０のバルブユニットとして用いることが可能である。
更にバルブユニット１２，１４，１６間の間隔や向きの選択の自由度が高いことに起因して、各バルブユニット１２，１４，１６に対応した操作部の向きや配置の自由度も高い。
【００５７】
また本実施形態ではカバー１４０を備えているため、バルブユニット１２，１４，１６，接続管５０，上ブラケット９２，下ブラケット９４等をカバー１４０内部に隠蔽状態とでき、壁付き混合水栓１０の外観を良好となすことができる。
【００５８】
更に本実施形態では、給水用配管を兼ねた水側のクランク脚５８，給湯用配管を兼ねた湯側のクランク脚６０を温調用のバルブユニット１６の給水口７４，７６に接続して、カラン側のバルブユニット１２，シャワー側のバルブユニット１４を夫々接続管５０を介して温調用のバルブユニット１６から分岐させているため、温調用のバルブユニット１６で温度調節した混合水を、切替弁による流路切替えを行わないで、吐止水操作部２６，３０の操作によってカラン側，シャワー側の何れからも吐水させることができる。
【００５９】
以上本発明の実施形態を詳述したがこれはあくまで一例示である。
例えば本発明は、バルブユニットとして温調バルブユニットと流路をカラン側からシャワー側に若しくはその逆に切り替え且つ流量調節を行う切替バルブユニットとを組み合せることも可能である等、バルブユニットの組み合せを様々に変更することが可能である。
また上記のブラケットはあくまで一例示に過ぎず、ブラケットを他の様々な形状で構成することも可能である。
その他本発明はその趣旨を逸脱しない範囲において種々変更を加えた形態で構成可能である。
【符号の説明】
【００６０】
１０  混合水栓
１２，１４，１６  バルブユニット
１８，２０，２２  バルブボデー
５０  接続管
５８，６０  クランク脚
６２，６４  給水接続部
７４，７６  給水口
８２  ブラケット固定部
８４  上ブラケット固定部
８６  下ブラケット固定部
９２  上ブラケット
９４  下ブラケット
【図１】
0005740711.tif 000002
【図２】
0005740711.tif 000003
【図３】
0005740711.tif 000004
【図４】
0005740711.tif 000005
【図５】
0005740711.tif 000006
【図６】
0005740711.tif 000007
【図７】
0005740711.tif 000008